(57)【特許請求の範囲】
【請求項１】
水栓における水路構成部材としての第１部材と水路構成部材又は水路構成部材を保持する第２部材とを、それらに設けた雄管部と雌管部とを嵌合させた状態で、それら雄管部と雌管部との一方に設けた弾性係止爪と他方に設けた係止孔との軸方向の係止作用で抜止状態に接続して成る水栓部品の接続構造において、
予め定めた特定の回転位置において前記弾性係止爪と係止孔との係止を解除可能、他の回転位置で実質上解除不能となして、それら第１部材と第２部材とを該特定の回転位置でのみ軸方向に分解可能、他の回転位置で分解不能となし、
前記雄管部にはスリーブと、該スリーブに回転可能に且つ軸方向に抜止状態で嵌入された筒状の嵌入部とを具備させて該スリーブに前記弾性係止爪を形成するとともに、該嵌入部における外周面に前記特定の回転位置において該弾性係止爪を凹入可能な凹陥部を形成し、該凹陥部への該弾性係止爪の凹入により、該弾性係止爪を前記係止孔に対して係止解除可能となしてあることを特徴とする水栓における部品接続構造。
【請求項２】
請求項１において、前記スリーブには止め輪が弾性的に脱着可能に嵌め合わされていて、該止め輪により該スリーブと前記嵌入部とが軸方向に抜止めされており、且つ該止め輪に前記弾性係止爪が設けられていることを特徴とする水栓における部品接続構造。
【発明の詳細な説明】
【０００１】
【発明の属する技術分野】
この発明は、上下に回転可能な吐水ヘッドと、これを回転可能に保持するヘッドホルダとを備えた水栓に適用して好適な水栓における部品接続構造に関する。
【０００２】
【発明の背景】
従来、吐水口を有する吐水ヘッドをヘッドホルダにて回転可能に保持し、その吐水ヘッドを上向きとして、即ち吐水口を上向きとして上方吐水可能となした水栓が公知である。
この場合の吐水ヘッドとヘッドホルダとの接続構造として、弾性クリップによりそれらを軸方向に抜止状態に結合する接続構造、或いは弾性係止爪と係止孔との係止作用にてそれらを接続する構造が考えられる。
【０００３】
【発明が解決しようとする課題】
しかしながら前者のクリップ止めによる接続構造の場合、部品点数が多くコストアップをもたらす。
一方弾性係止爪と係止孔との係止作用による後者の接続構造の場合、使用者が吐水ヘッドに触れたときに誤って弾性係止爪に不意の力が加わって、弾性係止爪と係止孔との係止が外れてしまう恐れがある。
【０００４】
一方で吐水ヘッドとヘッドホルダとを分解不能に組み付けてしまうと、吐水ヘッド又はヘッドホルダ内部の部品交換の必要が生じたときに部品交換ができなくなってしまう。
以上回転可能な吐水ヘッドとヘッドホルダとの接続を例として説明したが、同様の問題は水栓における水路構成部材の接続に際して生じ得る。
【０００５】
【課題を解決するための手段】
本発明の水栓における部品接続構造はこのような課題を解決するために案出されたものである。
而して請求項１のものは、水栓における水路構成部材としての第１部材と水路構成部材又は水路構成部材を保持する第２部材とを、それらに設けた雄管部と雌管部とを嵌合させた状態で、それら雄管部と雌管部との一方に設けた弾性係止爪と他方に設けた係止孔との軸方向の係止作用で抜止状態に接続して成る水栓部品の接続構造において、予め定めた特定の回転位置において前記弾性係止爪と係止孔との係止を解除可能、他の回転位置で実質上解除不能となして、それら第１部材と第２部材とを該特定の回転位置でのみ軸方向に分解可能、他の回転位置で分解不能となし、前記雄管部にはスリーブと、該スリーブに回転可能に且つ軸方向に抜止状態で嵌入された筒状の嵌入部とを具備させて該スリーブに前記弾性係止爪を形成するとともに、該嵌入部における外周面に前記特定の回転位置において該弾性係止爪を凹入可能な凹陥部を形成し、該凹陥部への該弾性係止爪の凹入により、該弾性係止爪を前記係止孔に対して係止解除可能となしてあることを特徴とする。
【０００６】
請求項２のものは、請求項１において、前記スリーブには止め輪が弾性的に脱着可能に嵌め合わされていて、該止め輪により該スリーブと前記嵌入部とが軸方向に抜止めされており、且つ該止め輪に前記弾性係止爪が設けられていることを特徴とする。
【０００７】
【作用及び発明の効果】
【０００８】
以上のように請求項１のものは、水栓における部品としての第１部材と第２部材とを弾性係止爪と係止孔との係止作用で抜止状態に接続するとともに、予め定めた特定の回転位置においてそれら弾性係止爪と係止孔との係止を解除可能、他の回転位置で解除不能となしたもので、このようにすれば特定の回転位置でのみ第１部材と第２部材とを軸方向に分解でき、他の回転位置でそれらが誤って軸方向に分解されてしまうのを防止することができる。
【０００９】
この場合において第１部材又は第２部材の雄管部を、スリーブと、そこに嵌入される筒状の嵌入部とを有するように構成しそのスリーブに弾性係止爪を、また雌管部に係止孔を形成する一方、嵌入部には特定の回転位置において弾性係止爪を凹入可能な凹陥部を形成しておき、特定回転位置においてその凹陥部に弾性係止爪を凹入させることで、弾性係止爪と係止孔との係止を解除するようになしておく。
このようにすることで、特定回転位置において第１部材と第２部材とを分解可能となし、他の回転位置において分解不能に接続する構造を容易に実現することができる。
【００１０】
更にこの場合において、スリーブには止め輪を弾性的に且つ脱着可能に嵌め合せておき、その止め輪によりスリーブと嵌入部とを軸方向に抜止めする一方、その止め輪に弾性係止爪を設けておくことができる（請求項２）。
本発明は、吐水ヘッドとこれを回転可能に保持するヘッドホルダとの接続に適用して特に好適なものである。
【００１１】
【実施例】
次に本発明の実施例を図面に基いて詳しく説明する。
図１は上方吐水可能な水栓の一例を示したもので、図中１０は取付基体としてのカウンターであり、このカウンター１０に対し水栓本体１２と吐水部１４とが互いに離隔した位置において取付固定されている。
【００１２】
水栓本体１２には水と湯とのサプライ管１６が接続されており、それらサプライ管１６を通じて水栓本体１２に水と湯とが供給される。
水栓本体１２は供給された水と湯とをハンドル１８の回転操作により所定比率で混合し、その混合水を流出管２０を通じて外部に流出する。
流出管２０には可撓性のホース２２が接続されており、流出管２０からの混合水がこのホース２２を通じて後述の吐水ヘッド２４へと導かれる。
【００１３】
吐水部１４はこの吐水ヘッド２４と、これを回転可能に保持する管状且つ湾曲形状のヘッドホルダ２６を有している。
ヘッドホルダ２６にはスライド管２８が一体的に昇降する状態で連結されており、そのスライド管２８が、外周面に雄ねじを有するガイド管３０内にスライド可能に挿通されている。
吐水ヘッド２４は下面に吐水口３２を備えており、下向き状態においてその吐水口３２から吐水を下向きに吐出し、また吐水口３２を上向きにした状態でその吐水口３２から吐水を上向きに吐出する。
【００１４】
図２，図３及び図４に吐水ヘッド２４とヘッドホルダ２６との接続部分の構造が具体的に示してある。
これらの図に示しているように、吐水ヘッド２４は雄管部３４を有している。一方ヘッドホルダ２６の先端部には雌管部３６が設けられており、それら雄管部３４と雌管部３６とが弾性シールリング（Ｏリング）３８を介して水密に嵌合している。
吐水ヘッド２４にはまた小径管部４０が設けられており、この小径管部４０において上記ホース２２の先端部が締結具４２によって嵌合状態で締結接続されている。
【００１５】
この雄管部３４には、周方向所定位置に弾性係止爪４４が設けられており、この弾性係止爪４４が、雌管部３６の側に形成された係止孔４６に弾性的に係止し、それら弾性係止爪４４と係止孔４６との軸方向の係止によって、吐水ヘッド２４がヘッドホルダ２６から抜け防止されている。
【００１６】
図５及び図６に示しているように、雄管部３４は円筒形状のスリーブ４８と嵌入部５０とを有しており、その嵌入部５０がスリーブ４８内部に回転可能且つ弾性シールリング３８を介して水密に嵌合されている。
上記小径管部４０は、このスリーブ４８に一体的に形成されている。
【００１７】
スリーブ４８にはまた、その一部をなし且つスリーブ本体とは別体をなす止め輪５２が装着されている。そしてこの止め輪５２に上記弾性係止爪４４が一体的に形成されている。
尚このスリーブ４８における上記弾性係止爪４４に対応する部分は、径方向の貫通穴５４とされている。
【００１８】
この止め輪５２は、図６及び図７に示しているように弾性係止爪４４の両側において概略円弧形状をなす弾性アーム５６を備えており、また一方上記スリーブ４８と嵌入部５０とのそれぞれには、弾性アーム５６に対応する軸方向位置において切欠き５８と環状溝６０とが設けられており、止め輪５２における一対の弾性アーム５６がスリーブ４８の切欠き５８に、更にこの切欠き５８を通じて嵌入部５０の環状溝６０に係入し、それらに対して軸方向に係合している。
そしてこれら止め輪５２における一対の弾性アーム５６と切欠き５８及び環状溝６０との軸方向の係合作用に基づいて、スリーブ４８と嵌入部５０とが軸方向に結合されている。
【００１９】
図３，図６及び図７に示しているように、嵌入部５０には環状溝６０に続いて止め輪５２における弾性係止爪４４に対応する大きさの、平面形状が矩形状の凹陥部６２が周方向所定位置に形成されており、この凹陥部６２に弾性係止爪４４が凹入可能とされている。
この凹陥部６２は、図８（II）に示しているように弾性係止爪４４を凹陥部６２に凹入させたときに、ヘッドホルダ２６の係止孔４６に対する係止が解除可能な深さで形成されている。
【００２０】
ここで凹陥部６２は、図８（II）に示しているように吐水ヘッド２４をヘッドホルダ２６に対し丁度横向きとなる位置に回転させたとき、凹陥部６２が弾性係止爪４４に対向する位置となるようにその周方向位置が選ばれている。
即ちこの例では、吐水ヘッド２４をヘッドホルダ２６に対し横向きとなる位置に回転させたとき、弾性係止爪４４を係止孔４６を通じて雄管部３４の軸心側に押し込んで係止孔４６との係止を解除可能となしてあり、その他の回転位置においては実質的に係止の解除が不能となしてある。
即ち吐水ヘッド２４が横向き以外の回転位置にあるとき、弾性係止爪４４を軸心側に押し込んでも、弾性係止爪４４が嵌入部５０の外面に当ってそれ以上軸心側に弾性変形できないようになしてある。
【００２１】
次に本例の接続構造の作用を図８及び図９に基いて具体的に説明する。
図８（Ｉ）及び図９（III）は吐水ヘッド２４がヘッドホルダ２６に対し軸方向に離脱不能に接続された状態を表している。
このとき、吐水ヘッド２４における雄管部３４に設けられた弾性係止爪４４は、ヘッドホルダ２６の係止孔４６に軸方向に係止した状態にあり、そしてその雄管部３４の一部をなす嵌入部５０の矩形の凹陥部６２はその弾性係止爪４４に対し周方向に９０°隔たった位置に位置している。
【００２２】
従って図８（Ｉ）に示す状態、即ち吐水ヘッド２４の吐水口３２が下向きをなしている状態、或いはまた図９（III）に示しているように吐水口３２が上向きをなしている状態の下では、たとえ誤って弾性係止爪４４に対し押込方向の力を加えてしまった場合でも、弾性係止爪４４が軸心方向に弾性変形できないことから、それら弾性係止爪４４と係止孔４６との係止が外れることはない。即ち吐水ヘッド２４がヘッドホルダ２６から誤って抜き出されてしまうといったことは生じない。
【００２３】
一方、図８（Ｉ）或いは図９（III）に示す状態から吐水ヘッド２４を図８（II）に示す横向き状態となる位置まで回転操作すると、ここにおいて嵌入部５０における凹陥部６２が弾性係止爪４４に対向する状態となり、従ってこの状態で弾性係止爪４４に軸心方向の押込力を加えると、弾性係止爪４４が凹陥部６２内に凹入して係止孔４６との係止が外れ、従ってこの状態で吐水ヘッド２４に対し引張力を加えることで、吐水ヘッド２４をホース２２とともにヘッドホルダ２６から抜き出すことができる。
【００２４】
以上のように本例の接続構造によれば、特定の回転位置でのみ、具体的には吐水ヘッド２４が通常使用されない横向き状態にあるときにのみヘッドホルダ２６と軸方向に分解可能であり、通常使用される下向きの回転位置及び上向きの回転位置を含む他の回転位置では分解することができない。
【００２５】
従って本例の接続構造によれば、通常使用状態において使用者が吐水ヘッド２４に手を触れ、その際に誤って弾性係止爪４４と係止孔４６との係止を解除してしまうといったことがなく、誤って吐水ヘッド２４がヘッドホルダ２６から抜き出されてしまうといった不都合を防止することができる。
一方において分解が必要となったときには、吐水ヘッド２４を横向き位置まで回転操作することで、容易にこれをヘッドホルダ２６から軸方向に抜き出し、分解することができる。
【００２６】
また本例では、吐水ヘッド２４側の雄管部３４に弾性係止爪４４を設ける一方、ヘッドホルダ２６の側に係止孔４６を設けてそれらを軸方向に係止させるとともに、その雄管部３４の一部をなす嵌入部５０に凹陥部６２を設けて、そこに弾性係止爪４４を凹入させることで係止解除可能となしているため、特定回転位置において吐水ヘッド２４とヘッドホルダ２６とを分解可能となし、他の回転位置において分解不能な接続構造を容易に実現することができる。
【００２７】
次に図１０及び図１１は本発明の他の実施例を示している。
この例において６４は水栓本体で、この水栓本体６４の下面からパイプ状をなす吐水管６６が水平回転可能に延び出している。
水栓本体６４の後面からはシャワーエルボ６８が延び出しており、そのシャワーエルボ６８に対してシャワーホース７０が接続されている。
このシャワーホース７０の先端部には図示を省略するシャワーヘッドが接続されている。
【００２８】
図１１はその水栓本体６４とシャワーエルボ６８との接続構造を示したもので、その接続構造は基本的に上記第１の実施例における吐水ヘッド２４とヘッドホルダ２６との接続構造と同様のものである。
ここでは対応する部分に符号のみを示して詳しい説明は省略する。
【００２９】
シャワーエルボ６８は、通常の使用状態では上向きとなるようなことはなく、そこでこの実施例ではシャワーエルボ６８が丁度上向きとなったときに（この例ではスリーブ４８がシャワーエルボ６８とともに嵌入部５０に対して相対回転する）、嵌入部５０に設けた凹陥部６２が丁度弾性係止爪４４に対向する状態となり、同回転位置において弾性係止爪４４と係止孔４６との係止が解除可能となしてある。
またその他の回転位置においては弾性係止爪４４と係止孔４６との係止が解除不能となしてある。
【００３０】
この実施例においても、通常の使用状態の下で誤ってシャワーエルボ６８が水栓本体６４から抜けてしまうのを防止でき、また必要が生じたときにはシャワーエルボ６８を上向き位置まで回転操作することで、容易に係止解除し得てシャワーエルボ６８を水栓本体６４から抜き出すことができる。
【００３１】
以上本発明の実施例を詳述したがこれはあくまで一例示である。
例えば図１１では水栓本体６４の側に雄管部３４を、シャワーエルボ６８の側に雌管部３６を設けているが、これらを逆の側に、即ちシャワーエルボ６８の側に雄管部を、水栓本体６４の側に雌管部を設けて、それらを図１〜図９に示す接続構造で接続するようになす（但しシャワーエルボ６８が上向き位置で係止解除可能）こともできるし、また本発明は吐水ヘッドとヘッドホルダとの接続或いは水栓本体とシャワーエルボとの接続以外の水栓部品の接続に適用することが可能であるなど、本発明はその主旨を逸脱しない範囲において種々変更を加えた形態で構成可能である。
【図面の簡単な説明】
【図１】  本発明の一実施例である接続構造を含む水栓の一例を示す図である。
【図２】  同じ実施例の吐水ヘッドとヘッドホルダとの接続構造とその周辺部を拡大して示す断面図である。
【図３】  図２の吐水ヘッドをヘッドホルダから抜き出した状態を示す断面図である。
【図４】  図２の吐水ヘッドをヘッドホルダから抜き出した状態を示す斜視図（但しホースは図示省略されている）である。
【図５】  同じ実施例の吐水ヘッドとその周辺部を各部材に分解して示す断面図である。
【図６】  同じ実施例の吐水ヘッドにおける雄管部を構成する嵌入部とスリーブと止め輪とを分解した状態で示す図である。
【図７】  図６の分解状態を斜視図で示す図である。
【図８】  本発明の接続構造の作用説明図である。
【図９】  図８とは異なる作用状態を示す図である。
【図１０】  本発明の他の実施例の接続構造を含む水栓の一例を示す図である。
【図１１】  図１０の接続構造を拡大して示す断面図である。
【符号の説明】
２４  吐水ヘッド
２６  ヘッドホルダ
３４  雄管部
３６  雌管部
４４  弾性係止爪
４６  係止孔
４８  スリーブ
５０  嵌入部
５２  止め輪
６２  凹陥部
【図１】
0003699329.tif 000002
【図２】
0003699329.tif 000003
【図３】
0003699329.tif 000004
【図４】
0003699329.tif 000005
【図５】
0003699329.tif 000006
【図６】
0003699329.tif 000007
【図７】
0003699329.tif 000008
【図８】
0003699329.tif 000009
【図９】
0003699329.tif 000010
【図１０】
0003699329.tif 000011
【図１１】
0003699329.tif 000012